(57)【要約】【課題】発光素子を取り付けた面の反対側の面に露出する導電性部材を保護すると共に、水・塵等の侵入が抑制された照明装置を提供する。【解決手段】照明装置１は、導電性部材１１と、導電性部材に接続される発光素子３０と、導電性部材を保持し、導電性部材の少なくとも一部がインサートされるとともに、発光素子が配置される第一面部２１ａと、第一面部の反対側の第二面部２１ｂと、側面部２１ｃとを有する保持部材２０と、保持部材を覆うよう保持部材に取り付けられるカバー部材４０と、を備え、導電性部材は、側面部及び第二面部から外側に露出する露出部１６を有し、カバー部材は、第二面部と導電性部材の露出部とを覆うよう保持部材に取り付けられる。【選択図】図２
2020136068.tif 000002
【特許請求の範囲】
【請求項１】
導電性部材と、
前記導電性部材に接続される発光素子と、
該導電性部材を保持し、前記導電性部材の少なくとも一部がインサートされるとともに、前記発光素子が配置される第一面部と、該第一面部の反対側の第二面部と、側面部とを有する保持部材と、
該保持部材を覆うよう前記保持部材に取り付けられるカバー部材と、を備え、
前記導電性部材は、前記側面部及び前記第二面部から外側に露出する露出部を有し、
前記カバー部材は、前記第二面部と前記導電性部材の前記露出部とを覆うよう前記保持部材に取り付けられることを特徴とする照明装置。
【請求項２】
前記カバー部材は中空の直方体状に形成されていて、前記発光素子と対向するように配置されるレンズを有する前面部と、前記前面部の反対側に位置する背面部とを有し、前記前面部と前記背面部以外のいずれか一つの面に開口部が形成され、
前記保持部材は前記カバー部材の前記開口部から挿入され、前記カバー部材が取り付けられることを特徴とする請求項１に記載の照明装置。
【請求項３】
前記カバー部材は、前記背面部にスリットが形成されていて、
前記保持部材は、前記第二面部から突出し、前記カバー部材に挿入されるとき、前記カバー部材の前記スリットに係合する突出部を備えることを特徴とする請求項２に記載の照明装置。
【請求項４】
前記保持部材の前記突出部及び前記カバー部材の前記スリットは、前記保持部材が前記カバー部材に挿入される方向に沿って、長尺状に形成されていることを特徴とする請求項３に記載の照明装置。
【請求項５】
前記カバー部材の前記スリットは、前記保持部材が挿入される前記開口部側にある前記背面部の端部から延びるよう、長尺状に形成されていることを特徴とする請求項４に記載の照明装置。
【請求項６】
前記突出部は、前記保持部材の挿入方向に対して直交する幅方向において前記保持部材の前記第二面部のほぼ中央に形成されていることを特徴とする請求項３から５のいずれか一項に記載の照明装置。
【請求項７】
前記突出部は、前記カバー部材が前記保持部材に取り付けられた状態において、前記突出部は前記カバー部材の前記スリットと略隙間なく係合することを特徴とする請求項３から６のいずれか一項に記載の照明装置。
【請求項８】
前記カバー部材は、前記カバー部材の内部において、前記保持部材が挿入される方向に沿って形成され前記保持部材をガイドすると共に挿入後に前記保持部材を支持するガイド部を備えることを特徴とする請求項２から７のいずれか一項に記載の照明装置。
【請求項９】
前記保持部材は、前記カバー部材の内部に挿入される実装部を備え、
前記実装部は、前記カバー部材の前記前面部と前記背面部との間の長さより厚さが薄い板状に形成されていて、前記ガイド部により前記カバー部材の内部において前記背面部側に密着して位置するよう支持されることを特徴とする請求項８に記載の照明装置。
【請求項１０】
前記実装部は平板状に形成され、前記保持部材は、前記カバー部材が前記保持部材に取り付けられたとき前記カバー部材の前記前面部に当接して前記カバー部材の開口を塞ぐ延出部を備えることを特徴とする請求項９に記載の照明装置。
【発明の詳細な説明】
【技術分野】
【０００１】
本発明は、照明装置に関し、特に発光素子を備える照明装置に関する。
【背景技術】
【０００２】
車両内装用の照明として、例えばＬＥＤ等の発光素子を備える照明装置が用いられることがある。例えば、特許文献１には、ケースに、発光素子が実装された回路と、回路の接続端子を取り付けた上で、ケースにレンズが設けられたカバーを嵌め込んで構成した照明装置が開示される。
【先行技術文献】
【特許文献】
【０００３】
【特許文献１】特開２０１８−１４８１８４号公報
【発明の概要】
【発明が解決しようとする課題】
【０００４】
上記の従来技術では、発光素子の量産工程において、複数の発光装置用の導電性部材がつながった状態となっており、樹脂ホルダ（保持部材）がインサート成形された後に、発光装置ごとに導電性部材が切断される。そのため、ケースの側面から回路の連結部を切断した露出部が露出している。樹脂ホルダには、レンズが形成され発光素子をカバーするカバー部材が取り付けられているが、レンズが形成された面の反対側の面（特許文献１では下面）が開口しているため、そこから水や塵等が侵入する可能性があり、防水・防塵効果が不十分である場合があった。
【０００５】
本発明は、上記の課題に鑑みてなされたものであり、その目的は、導電性部材を保持する保持部材において発光素子を取り付けた第一面部の反対側の第二面部に露出する導電性部材を保護すると共に、水・塵等の侵入が抑制された照明装置を提供することにある。
【課題を解決するための手段】
【０００６】
上記課題は、本発明に係る照明装置によれば、導電性部材と、前記導電性部材に接続される発光素子と、該導電性部材を保持し、前記導電性部材の少なくとも一部がインサートされるとともに、前記発光素子が配置される第一面部と、該第一面部の反対側の第二面部と、側面部とを有する保持部材と、前記保持部材に取り付けられるカバー部材と、を備え、前記導電性部材は、前記側面部及び前記第二面部から外側に露出する露出部を有し、前記カバー部材は、前記第二面部と前記導電性部材の前記露出部とを覆うよう前記保持部材に取り付けられることにより解決される。
上記の照明装置によれば、保持部材に取り付けられたカバー部材により、第二面部と、側面部及び第二面部から外側に露出する導電性部材の露出部とが覆われるため、水・塵等の侵入が抑制される。
【０００７】
また、上記の照明装置において、前記カバー部材は中空の直方体状に形成されていて、前記発光素子と対向するように配置されるレンズを有する前面部と、該前面部の反対側に位置する背面部とを有し、前記前面部と前記背面部以外のいずれか一つの面に開口部が形成され、前記保持部材は前記カバー部材の前記開口部から挿入され、前記カバー部材が取り付けられると好適である。
前面部及び背面部以外の面に開口部が形成されることで、組み立てが容易になり、露出部を覆う背面部を開口面にしないことにより部を保護すると共に水・塵等の侵入が抑制され、防水・防塵性を損なうことがない。
【０００８】
また、上記の照明装置において、前記カバー部材は、前記背面部にスリットが形成されていて、前記保持部材は、前記第二面部から突出し、前記カバー部材に挿入されるとき、前記カバー部材の前記スリットに係合する突出部を備えると好適である。
簡単な構成で係合しやすく、且つ、突出部がスリットと係合することで背面部と第二面部とが密着しやすい構成とすることができる。
【０００９】
また、上記の照明装置において、前記保持部材の前記突出部及び前記カバー部材の前記スリットは、前記保持部材が前記カバー部材に挿入される方向に沿って長尺状に形成されていると好適である。
スリットが保持部材の挿入方向に沿って長尺状に形成されることで、組立が容易になりまた突出部がスリットと係合した状態を効果的に保持することができる。
【００１０】
上記の照明装置おいて、前記カバー部材の前記スリットは、前記保持部材が挿入される前記開口部側にある前記背面部の端部から延びるよう、長尺状に形成されていると好適である。
スリットを背面部の端部から延びるように設けることにより、保持部材をカバー部材に挿入する際、カバー部材の背面部が撓みやすくなり、組付性を向上させることができる。
【００１１】
上記の照明装置において、前記突出部は、前記保持部材の挿入方向に対して直交する幅方向において前記保持部材の第二面部の略中央に形成されていると好適である。
突出部が第二面部の略中央に形成されることにより、バランスよく係合状態を保持することができる。
【００１２】
上記の照明装置において、前記突出部は、前記カバー部材が前記保持部材に取り付けられた状態において、前記突出部は前記カバー部材の前記スリットに略隙間なく係合すると好適である。
突出部がスリットに略隙間なく係合することにより、防水性・防塵性をより向上させることができる。また、突出部の頂部と背面部とが面一に形成されることで意匠性が向上する。
【００１３】
上記の照明装置において、前記カバー部材は、前記カバー部材の内部において、前記保持部材が挿入される方向に沿って形成され前記保持部材をガイドすると共に挿入後に前記保持部材を支持するガイド部を備えると好適である。
保持部材をガイドすると共に保持部材を支持するガイド部を備えることにより、組付性が向上し且つ簡単な構成により係合した状態を保つことができる。
【００１４】
上記の照明装置において、前記保持部材は、前記カバー部材の内部に挿入される実装部を備え、前記実装部は、前記カバー部材の前記前面部と前記背面部との間の長さより厚さが薄い板状に形成されていて、前記ガイド部により前記カバー部材の内部において前記背面部側に密着して位置するよう支持されると好適である。
ガイド部により実装部の第二面部をカバー部材の背面部側に密着して位置させることで、防水性・防塵性が向上する。
【００１５】
上記の照明装置において、前記実装部は平板状に形成され、前記保持部材は、前記カバー部材が前記保持部材に取り付けられたとき前記カバー部材の前記前面部に当接して前記カバー部材の開口を塞ぐ延出部を備えると好適である。
カバー部材の開口を塞ぐ延出部を備えることで、部材を増やすことなく、カバー部材の開口部を保持部材により塞ぐことができ、カバー部材と保持部材とが係合した状態を保つことができる。
【発明の効果】
【００１６】
本発明によれば、導電部材を保持する保持部材において発光素子を取り付けた第一面部とは反対側の第二面部及び側面部に露出する導電性部材の露出部を保護し、第二面部を覆うことで水・塵等の侵入を抑制することができる。
本発明によれば、前面部及び背面部以外の面に開口部が形成されることで、組み立てが容易になり、露出部を覆う背面部を開口面としないことで、防塵・防水性を損なうことが抑制される。
本発明によれば、カバー部材の背面部にスリットが形成され、保持部材の第二面に、スリットに係合する突出部を備えることにより、簡単な構成で保持部材とカバー部材とが係合しやすくなり、背面部と第二面部が密着しやすい構成とすることができる。
本発明によれば、スリットが保持部材の挿入方向に沿って長尺状に形成されることで、組立が容易になり且つ係合する状態を効果的に保持することができる。
本発明によれば、スリットを背面部の端部から延びるように設けることにより、保持部材をカバー部材に挿入する際、カバー部材の背面部が撓みやすくなり、組付性を向上させることができる。
本発明によれば、突出部が第二面部の略中央に形成されることにより、バランスよく係合状態を保持することができる。
本発明によれば、突出部がスリットに略隙間なく係合することにより、防水性・防塵性をより向上させることができる。
本発明によれば、保持部材をガイドすると共に保持部材を支持するガイド部を備えることにより、組付性が向上し且つ簡単な構成により係合した状態を保つことができる。
本発明によれば、ガイド部により実装部の第二面部をカバー部材の背面部側に密着して位置させることで、防水性・防塵性が向上する。
本発明によれば、カバー部材の開口を塞ぐ延出部を備えることで、部材を増やすことなく、カバー部材の開口部を保持部材により塞ぎ、カバー部材と保持部材が係合した状態を保つことができる。
【図面の簡単な説明】
【００１７】
【図１】第一実施形態に係る照明装置の斜め後方から見た斜視図である。
【図２】第一実施形態に係る照明装置の斜め後方から見た分解斜視図である。
【図３】第一実施形態に係る照明装置を斜め前方から見た斜視図である。
【図４】第一実施形態に係る照明装置の斜め前方から見た分解斜視図である。
【図５】導電性部材が連結されている状態の保持部材の正面図である。
【図６】導電性部材を切断した保持部材の背面図である。
【図７】図１のＶＩＩ−ＶＩＩ線に沿った断面図である。
【図８】カバー部材の別例を示す背面図である。
【図９】照明装置を搭載したドアライニングを示す図である。
【図１０】第二実施形態に係る照明装置を斜め後方から見た斜視図であり、背面部を開けた状態を示す図である。
【図１１】第二実施形態に係る照明装置を斜め後方から見た斜視図であり、背面部を閉じた状態を示す図である。
【図１２Ａ】図１１のＸＩＩＡ−ＸＩＩＡ線に沿った断面図である。
【図１２Ｂ】図１１のＸＩＩＢ−ＸＩＩＢ線に沿った断面図である。
【図１２Ｃ】図１１のＸＩＩＣ−ＸＩＩＣ線に沿った断面図である。
【図１３】第三実施形態に係る照明装置を斜め前方から見た斜視図である。
【図１４】第三実施形態に係る照明装置の斜め前方から見た分解斜視図である。
【図１５】第三実施形態に係る照明装置の斜め後方から見た斜視図である。
【図１６】第一部材を斜め後方から見た斜視図である。
【図１７】図１３のＸＶＩＩ−ＸＶＩＩ線に沿った断面図である。
【図１８】図１３のＸＶＩＩＩ−ＸＶＩＩＩ線に沿った断面図である。
【図１９】第四実施形態に係る照明装置の斜め後方から見た斜視図である。
【図２０】第四実施形態に係る照明装置の背面図である。
【図２１】第四実施形態に係る照明装置の斜め後方から見た分解斜視図である。
【図２２】第四実施形態に係る照明装置の斜め前方から見た分解斜視図である。
【図２３Ａ】図１９のＸＸＩＩＩＡ−ＸＸＩＩＩＡ線に沿った断面図である
【図２３Ｂ】図２１のＸＸＩＩＩＢ−ＸＸＩＩＩＢ線に沿ったカバー部材の断面図である。
【図２４】カバー部材の成形方法を説明するための図である。
【図２５】カバー部材の成形方法を説明するための図である。
【発明を実施するための形態】
【００１８】
以下、図１〜図２５を参照しながら、本発明の実施の形態（以下、本実施形態）に係る照明装置について説明する。
なお、以下に説明する実施形態は、本発明の理解を容易にするための一例に過ぎず、本発明を限定するものではない。すなわち、以下に説明する部材の形状、寸法、配置等については、本発明の趣旨を逸脱することなく、変更、改良され得るとともに、本発明にはその等価物が含まれることは勿論である。また、以下の実施形態において同一又は類似の構成要素には共通の参照符号を付して示し、理解を容易にするために、これら図面は縮尺を適宜変更している。
【００１９】
［第一実施形態］
図１〜図９を参照しながら、本発明の第一実施形態に係る照明装置１について説明する。
なお、以下の説明において、「上下」、「左右」、「前後」の各方向は、図１の矢印で示すように、照明装置１のカバー部材４０が上側になるようにし、レンズ部４７がある方（図３参照）を前方、その反対側を後方とした場合の「上下」、「左右」、「前後」の各方向に一致する。
【００２０】
図１〜図６に示されるように、照明装置１は、主な構成として、導電性部材１１（図５参照）と導電性部材１１に接続される発光素子３０等の電子素子を有する保持部材２０と、保持部材２０に取り付けられるカバー部材４０とを備える。以下、図５及び図６を参照しながら、保持部材２０の構成について説明し、その後カバー部材４０とその取り付け手順について説明する。
【００２１】
図５は、導電性部材１１を有する導電性部材ロッド１０と、導電性部材１１をインサートした状態で射出成形により形成された状態の保持部材２０とを示す。なお、図５では省略しているが、導電性部材ロッド１０には複数の導電性部材１１が形成されており、それぞれの導電性部材１１に保持部材２０が接続される。
【００２２】
図５に示すように、保持部材２０は、主な構成として、導電性部材１１を保持し発光素子３０、抵抗素子３５が取り付けられた実装部２１と、導電性部材１１の一部として構成された接続端子１４が収容される収容部２２とを有する。収容部２２は、中空形状をなし、その内部に導電性部材１１の接続端子１４を収容している。導電性部材１１の接続端子１４は、図５に示すように上下方向に延出し、外部の電源回路や制御回路に接続される端子である。実装部２１は、発光素子３０が配置される実装部２１の第一面部２１ａと、第一面部２１ａの反対側の第二面部２１ｂと、側面部２１ｃとを有する。
【００２３】
なお、導電性部材１１は、少なくとも一部が保持部材２０にインサートされた状態で保持される電気回路である。そして、図５に示すように導電性部材１１の一部が実装部２１から露出した電極パッド１３となり、電極パッド１３には発光素子３０、抵抗素子３５等の電子素子が取り付けられる。導電性部材１１は、型成形により形成されることとしてもよいし、打ち抜き成形と曲げ加工等により形成されることとしてもよい。
【００２４】
そして、保持部材２０は、導電性部材１１をインサートした状態で樹脂材料を射出成形することで（すなわちインサート成形により）形成される。樹脂材料には、例えば液晶ポリマー、ＰＢＴ（ポリブチレンテレフタレート）、ＰＰＳ（ポリフェニレンサルファイド）等を用いることとしてよい。
【００２５】
インサート成形した後、導電性部材ロッド１０と保持部材２０とを接続する接続部１５を切断することにより、図６に示すように個々の保持部材２０に分割される。この際、接続部１５の切断部（露出部１６）は保持部材２０から外部に露出することとなる。
【００２６】
本実施形態では、図５及び図６に示すように、実装部２１の第一面部２１ａ、第二面部２１ｂ、側面部２１ｃ、上面部２１ｄのそれぞれから導電性部材１１の一部である露出部１６が露出している。露出部１６のそれぞれは、実装部２１の外周部に設けられた凹部１９内に形成されている。そのため、外部の物体、例えば金属等の導体が直接露出部１６に接触して短絡が発生するリスクを低減している。
【００２７】
また、実装部２１の第一面部２１ａ及び第二面部２１ｂには、成形時に保持部材２０をピンにより支持するための複数のピン孔１８が形成されている。
【００２８】
また、導電性部材１１のうち実装部２１の第一面部２１ａから露出する部分は、電極パッド１３となる。そして、この電極パッド１３には発光素子３０等の電子素子がはんだ付けにより取り付けられる。
すなわち、実装部２１の第一面部２１ａに配置された電極パッド１３にはんだペーストを塗布し、その後発光素子３０等の電子素子を配置した上で、リフロー炉で加熱する。これにより、電極パッド１３に発光素子３０等の電子素子を取り付けることができる。上記のリフロー工程を実行するために、実装部２１の第一面部２１ａは略段差のない平坦な面となっている。
なお、上記の発光素子３０には、ＬＥＤ、有機ＥＬ光源を用いることが小型化、低消費電力、及び低発熱の観点で好適であるが、蛍光灯等の他の形態の発光装置を用いてもよい。
【００２９】
また、実装部２１の左右にある側面部２１ｃのそれぞれに外側に突出した係合爪部２３が形成されている。この係合爪部２３は、カバー部材４０の係合孔部５０（図１及び図２参照）に係合する部分である。係合爪部２３は、図２に示すように、カバー部材４０に実装部２１を挿入する際、カバー部材４０の内部に挿入しやすいよう、係合爪部２３の上部に傾斜部２３ａが形成されている。
【００３０】
また、発光素子３０が取り付けられる第一面部２１ａの反対側の第二面部２１ｂには、実装部２１の挿入方向（図２の矢印Ｃ方向）に沿って延び、長尺状に形成された突出部２５を備える。突出部２５は、実装部２１をカバー部材４０に挿入する際、カバー部材４０の背面部４２に形成されるスリット５１に係合し摺動する。また、突出部２５は、保持部材２０の挿入方向（矢印Ｃ方向）に対して直交する幅方向（左右方向、図１のＡ方向、Ｂ方向）において第二面部２１ｂのほぼ中央に位置するよう形成されている。
【００３１】
収容部２２と実装部２１との間は、カバー部材４０の下面の開口部を塞ぐよう形成される。本実施形態では平板状の延出部１７が設けられていて、後述するカバー部材４０の開口部４５を塞ぐようになっている。
【００３２】
次に、図１〜図４を参照しながら、カバー部材４０の構成及びカバー部材４０の保持部材２０への取り付け方法について説明する。
【００３３】
カバー部材４０は中空の直方体状に形成されていて、主な構成とし前面部４１、背面部４２、上面部４３、側面部４４を備える。カバー部材４０の下面には保持部材２０の実装部２１を挿入するための開口部４５が形成されている
【００３４】
前面部４１は、カバー部材４０の正面を構成し、実装部２１の第一面部２１ａに対向して位置される部分である。そして、前面部４１は、実装部２１の第一面部２１ａを覆うサイズに形成される。なお、実装部２１の第一面部２１ａは、発光素子３０等の電子素子が実装される実装面である。
【００３５】
図３に示すようにカバー部材４０の前面部４１には、レンズ部４７が形成される。このレンズ部４７は、発光素子３０から遠ざかる方向に膨らんだ湾曲形状に形成され、発光素子３０から入射される光を透過させる際に屈折させる。
なお、レンズ部４７は、凸レンズ、凹レンズのいずれであってもよい。例えば、レンズ部４７を凸レンズとした場合には、レンズ部４７を透過した光は収束し、集光された光が外部に出射される。一方で、レンズ部４７に凹レンズを用いた場合には、レンズ部４７を透過した光は拡散しながら外部に出射されることとなる。なお、カバー部材４０は樹脂製であり透明な樹脂により形成される。そのため、レンズ部４７は透明で光を透過させることができる。
【００３６】
上面部４３は、カバー部材４０の上面を構成し、保持部材２０の実装部２１の上面に対向する面となる。上面部４３は略平板形状に形成される。
【００３７】
側面部４４は、カバー部材４０の左右の側面を構成する。なお、左右の側面部４４は左右対称に形成され、実質的に同一の構成である。そのため、以下では、左側の側面部４４について説明する。
【００３８】
左側の側面部４４は、前面部４１、背面部４２及び上面部４３と連結し、実装部２１の左側の側面部２１ｃと対向する面となる。具体的には、図１及び図７に示されるように、左側の側面部４４には、実装部２１の係合爪部２３が係合する係合孔部５０と、内側において実装部２１の第一面部２１ａの端部を支持し、実装部２１を挿入する際、実装部２１をガイドするガイド部５２が形成される（図７）。係合孔部５０は、矩形状の孔であり、係合爪部２３が係合孔部５０に係合することにより、カバー部材４０は保持部材２０に対して固定されるようになる。
【００３９】
スリット５１は、カバー部材４０の保持部材２０に対する挿入方向（図２の矢印Ｃ方向）の動きを規制している。ここで、上記の「挿入方向」とは、カバー部材４０を保持部材２０に取り付ける際に、保持部材２０を移動させる方向である。換言すれば、上面部４３の法線方向であって、本実施形態では図１の上方向（図２の矢印Ｃ方向）が上記の「挿入方向」に相当する。
【００４０】
係合孔部５０は、実装部２１をカバー部材４０の所定位置に取り付けるための機構である。所定位置とは、例えば、カバー部材４０のレンズ部４７のレンズ中心と、実装部２１に取り付けられた発光素子３０の光軸とが略一致する位置である。実装部２１の係合爪部２３が係合孔部５０に係合することにより、レンズ部４７の中心に発光素子３０が位置するようになる。
【００４１】
ガイド部５２は、カバー部材４０に実装部２１を挿入する方向（図２の矢印Ｃ方向）に沿って形成される。具体的には、図７に示されるように、ガイド部５７は、挿入方向に延びる凸部である。ガイド部５２により実装部２１は背面部４２側に位置するよう取り付けられる。
【００４２】
また、ガイド部５２は、カバー部材４０へ実装部２１を挿入方向と垂直な方向（ここでは前後方向）の動きを規制する。すなわち、ガイド部５７により、実装部２１の第一面部２１ａが支持され、実装部２１の第二面部２１ｂがカバー部材４０の背面部と密着するようになり、前後方向に位置ずれすることを抑制することができる。
【００４３】
背面部４２は、カバー部材４０の背面を構成する。実装部２１の第二面部２１ｂに対向して位置される部分である。そして、背面部４２は、実装部２１の第二面部２１ｂを覆うサイズに形成される。実装部２１の第二面部２１ｂには、導電性部材１１の露出部１６が露出しており、また、複数のピン孔１８が形成されている。
【００４４】
背面部４２は、第二面部２１ｂにある複数の露出部１６と複数のピン孔１８とを覆うように設けられている。また、開口部４５側の端部（基端部５３）から実装部２１の挿入方向（上方向）に延びるスリット５１が形成されている。そして、実装部２１の挿入時に、実装部２１の第二面部２１ｂから突出する突出部２５が、スリット５１に係合する。突出部２５及びスリット５１は、図１に示すように、保持部材２０がカバー部材４０に挿入される方向（矢印Ｃ方向）に沿って長尺状に形成されている。実装部２１をカバー部材に、突出部２５はスリット５１を摺動し、突出部２５によりスリット５１が隙間なく塞がれる。そのため、背面部４２から、カバー部材４０の内部に水・塵が侵入することが抑制される。
また、実装部２１の挿入時において係合爪部２３が開口部４５に当接すると、スリット５１があることにより、カバー部材４０が左右方向（図１の矢印Ａ方向、Ｂ方向）に撓むようになっている。それにより、実装部２１はスリット５１がない場合より挿入が容易である。
【００４５】
［照明装置１の取り付け例］
ここで、図９を参照しながら、照明装置１を取り付け例について説明する。図９には、照明装置１を取り付けたドアライニングＤを示した。図９に示されるように、ドアライニングＤは、上部部品であるドアアームレストＤ１と、下部部品であるロア部Ｄ２を備える。
ドアアームレストＤ１は、車両の前後方向（進行方向）に沿って設けられている。また、ロア部Ｄ２は、物品を収容するドアポケットＤ３を有する。
ドアポケットＤ３の上部には、照明装置１が取り付けられる。この照明装置１のレンズ部４７からの照射光は、ドアポケットＤ３に形成された照射用孔部Ｈを通じて、車両の座席の下方を照らす。
なお、照明装置１は、ドアライニングＤに対し、複数設けられていてもよい。例えば、車両の前後方向に沿って複数の照明装置１を一列に並べて配置することとしてよい。この場合、一列に並べた照明装置１を順次光らせる等により、各種の発光演出が可能となる。
【００４６】
［第二実施形態］
次に、図１０〜図１２Ｃを参照しながら、本発明の第二実施形態に係る照明装置２０１について説明する。図１０〜図１２Ｃの各図の概要は以下の通りである。
図１０は、第二実施形態に係る照明装置２０１を斜め後方から見た斜視図であり、カバー部材の背面部２４２を開けた状態を示す図である。
図１１は、第二実施形態に係る照明装置２０１を斜め後方から見た斜視図であり、カバー部材４０の背面部２４２を閉じた状態を示す図である。
図１２Ａは、図１１のＸＩＩＡ−ＸＩＩＡ線に沿った断面図、図１２Ｂは、図１１のＸＩＩＢ−ＸＩＩＢ線に沿った断面図、図１２Ｃは、図１１のＸＩＩＣ−ＸＩＩＣ線に沿った断面図である。
【００４７】
第二実施形態に係る照明装置２０１は、第一実施形態に係る照明装置１とは、保持部材２０の実装部２１に設けられた係合爪部２３及び突出部２５の形状と、カバー部材４０の構成が相違し、他の点では共通している。
以下では、第二実施形態に係る照明装置２０１に関する、第一実施形態に係る照明装置１からの相違点について説明する。
【００４８】
第二実施形態の保持部材２２０は導電性部材１１を保持しており、導電性部材１１の一部が露出した実装部２２１と、接続端子１４（不図示）を収容する収容部２２２とを備える。実装部２２１の第一面部２２１ａには、発光素子３０等の電子素子が配置されている（図１２Ａ〜図１２Ｃ参照）。実装部２２１の側面部２２１ｃの両方には、後述するカバー部材２４０の側面部２４４に形成されたスリット２５１に係合する突出部２２５と、係合孔部２５０に係合する係合爪部２２３とが形成されている。
【００４９】
実装部２２１の側面部２２１ｃに設けられた突出部２２５は、実装部２２１の後方から前方に向けて延びるよう形成されている。また、係合爪部２２３は、実装部２２１の上下方向に延びる矩形状に形成されている。また、係合爪部２２３は、カバー部材２４０の係合孔部２５０に係合しやすいよう前方側に傾斜部２２３ａを有する。
【００５０】
第二実施形態のカバー部材２４０は、中空の直方体状に形成され、主な構成とし前面部２４１、背面部２４２、上面部２４３、側面部２４４を備える。背面部２４２は、開閉可能に上面部２４３に取付けられている。また、カバー部材２４０の下面は開口しており、実装部２２１の基部により塞がれている。
【００５１】
前面部２４１には、保持部材２２０に取り付けられたときに発光素子３０と対向するレンズ部４７が設けられている。
背面部２４２と上面部２４３とはヒンジ部２５４により連結され、背面部２４２はヒンジ部２５４を中心にして回動することで開閉する。カバー部材２４０は背面部２４２が矢印Ｆ方向に回転することで閉じられる。また、背面部２４２の両側部には係合爪部２４２ａが形成されている。また、側面部２４４の内側に係合凹部２４４ａが形成されている。背面部２４２を閉じた時に、背面部２４２の係合爪部２４２ａが、それぞれの対応する位置に形成された係合凹部２４４ａに係合する。それにより、背面部２４２を閉じたとき、背面部２４２が側面部２４４に固定される。なお、背面部２４２は上面部２４３とヒンジ部２５４により連結されているが、これは一例であり、背面部２４２は、側面部２４４とヒンジ部により連結され開閉可能に取り付けられてもよい。
【００５２】
カバー部材２４０の側面部２４４には、前後方向に延びるスリット２５１が形成されており、実装部２２１をカバー部材２４０に挿入する際、実装部２２１の側面部２２１ｃに形成された突出部２２５がスリット２５１内を摺動する。
また、カバー部材２４０の側面部２４４には、実装部２２１の側面部２２１ｃに形成された係合爪部２２３が係合する係合孔部２５０が形成されている。実装部２２１がカバー部材２４０に挿入されたとき、係合爪部２２３が係合孔部２５０に係合すると、実装部２２１は前後方向の位置決めがされる。
【００５３】
保持部材２２０の実装部２２１は、カバー部材２４０の背面側にある開口部２４５からカバー部材２４０の内部に向けて挿入される。すなわち、保持部材２２０は、カバー部材２４０の後方から前方に向けて挿入される。挿入する際、実装部２２１の突出部２２５が、カバー部材２４０のスリット２５１に係合し摺動する。係合爪部２２３が係合孔部２５０に係合することで、実装部２２１が位置決めされるようになる。その後、カバー部材２４０の背面部２４２を、ヒンジ部を中心にして回動させ、カバー部材２４０の背面側の開口部２４５を閉じる。背面部２４２は、実装部２２１の第二面部２２１ｂに対向するように位置し、水や塵の侵入が抑制され、第二面部２２１ｂに露出する露出部１６及びピン孔１８が保護されるようになる。
【００５４】
［第三実施形態］
次に、図１３から図１８を参照しながら、本発明の第三実施形態に係る照明装置３０１について説明する。図１３から図１８の各図の概要は以下の通りである。
図１３は、第三実施形態に係る照明装置３０１を斜め前方から見た斜視図である。
図１４は、第三実施形態に係る照明装置３０１を斜め前方から見た分解斜視図であり、カバー部材３４０を取り付ける前の状態を示す図である。
図１５は、第三実施形態に係る照明装置３０１を斜め後方から見た斜視図であり、カバー部材３４０を保持部材３２０に取り付けた状態を示す図である。
図１６は、第一部材３４０Ａを斜め後方から見た斜視図である。
図１７は、図１３のＸＶＩＩ−ＸＶＩＩ線に沿った断面図である。
図１８は、図１３のＸＶＩＩＩ−ＸＶＩＩＩ線に沿った断面図である。
【００５５】
第三実施形態に係る照明装置３０１は、第二実施形態に係る照明装置２０１と比較すると、主にカバー部材２４０の構成が相違し、他の点では共通している。
以下では、第三実施形態に係る照明装置３０１に関する、第二実施形態に係る照明装置２０１からの相違点について説明する。
【００５６】
第三実施形態の保持部材３２０も導電性部材１１を保持しており、導電性部材１１の一部が露出した実装部３２１と、接続端子１４を収容する収容部３２２とを備える。
【００５７】
図１４に示すように、実装部３２１の第一面部３２１ａには、発光素子３０等の電子素子が配置されている。実装部３２１は第二面部３２１ｂ及び側面部３２１ｃの外側において露出部１６が露出している。実装部３２１の側面部３２１ｃには、後述するカバー部材３４０を構成する第一部材３４０Ａ及び第二部材３４０Ｂの側面部３４４Ａ、３４４Ｂに形成されたスリット３５１Ａ、３５１Ｂに係合する突出部３２５が形成される。また、カバー部材３４０を構成する第一部材３４０Ａの側面部３４４Ａ、第二部材３４０Ｂの側面部３４４Ｂに形成された係合孔部３５０Ａ、３５０Ｂに係合する係合爪部２２３が形成されている。
【００５８】
実装部３２１の側面部３２１ｃに設けられた突出部３２５は、実装部３２１の後方から前方に向けて延びるよう形成されている。また、係合爪部３２３は、実装部３２１の上下方向に延びるよう矩形状に形成されている。また、係合爪部３２３は、カバー部材３４０の係合孔部３５０Ａに係合しやすいよう前方に設けられた傾斜部３２３ａを有する。
【００５９】
図１４に示すように、第三実施形態のカバー部材３４０は、二つの部材（第一部材３４０Ａ、第二部材３４０Ｂ）からなる。第一部材３４０Ａは、実装部３２１の第一面部３２１ａ、側面部３２１ｃ及び上面部を覆うよう形成される。第二部材３４０Ｂは、実装部３２１の第二面部３２１ｂ、第一部材３４０Ａの側面部３４４Ｂ及び上面部３４３を覆うよう形成される。
【００６０】
第三実施形態のカバー部材３４０の第一部材３４０Ａ及び第二部材３４０Ｂは、中空の直方体状に形成されていて、主な構成として前面部３４１、上面部３４３、側面部３４４を備える。前面部３４１には、保持部材３２０に取り付けられたときに発光素子３０と対向するレンズ部４７が形成されている。
【００６１】
第一部材３４０Ａの側面部３４４Ａのそれぞれには、実装部３２１の突出部３２５が摺動するスリット３５１Ａが形成されている。また、係合爪部３２３と係合する係合孔部３５０Ａが形成されている。第一部材３４０Ａの下面は、実装部３２１の基部３２４が挿入されるよう開口している。また、第一部材３４０Ａの背面部も、実装部３２１を挿入するために開口している。実装部３２１の第二面部３２１ｂ及び第一部材３４０Ａの背面は、第二部材３４０Ｂにより覆われる。
【００６２】
第二部材３４０Ｂの側面部３４４Ｂのそれぞれには、第二部材３４０Ｂを、実装部３２１が挿入された第一部材３４０Ａに取り付ける際、実装部３２１の突出部３２５が摺動するスリット３５１Ｂが形成されている。スリット３５１Ｂは、第二部材３４０Ｂの挿入方向、すなわち保持部材３２０の前後方向に延びるよう形成される。また、第一部材３４０Ａの側面部３４４Ａに形成された係合爪部３５３が係合するよう、係合孔部３５０Ｂが形成される。
【００６３】
保持部材３２０の実装部３２１に、第一部材３４０Ａを前方から後方に移動させ挿入する。係合爪部３２３が、係合孔部３５４に係合した後、第一部材３４０Ａは、保持部材３２０に取り付けられる。第二部材３４０Ｂを後方から前方に移動させ取り付ける。突出部２２５をスリット３５１Ｂに摺動させつつ、第一部材３４０Ａの係合爪部３５３を、第二部材３４０Ｂの係合孔部３５０Ｂに係合させる。
第二部材３４０Ｂにより、第一部材３４０Ａの背面、すなわち実装部３２１の第二面部３２１ｂが覆われることで、防水性、防塵性が高まり、導電性部材１１の露出部１６が保護されるようになる。
【００６４】
図１６から図１９を用いて、第三実施形態の第一部材３４０Ａに設けられるレンズ部３４７について説明する。インサート成形で作製された保持部材３２０は、発光素子３０等の電子素子を取り付けるため、第一面部３２１ａを平坦にする必要がある。そのため、レンズ部と発光素子３０との間に距離があり、発光素子３０を側面から覆うことができなかった。レンズ部と発光素子３０との間に距離があると、レンズ部から反射した光がカバー部材３４０の側面から漏れるという、光漏れの原因となる場合があった。
【００６５】
第三実施形態では、レンズ部３４７において、図１６〜図１９に示すように第一部材３４１Ａの内側に放射形状の導光部３４７ａを設けている。導光部３４７ａの頂上部分を発光素子３０に近づけることにより、発光素子３０の近傍で導光部３４７ａに入光させる。それにより、効率的に前方に光を通過させ、且つ余計な反射によるカバー部材３４０の側面等への光漏れを低減させることができるようになる。また、第二部材３４０Ｂを光が透過しにくい色や素材で構成することにより、側面等への光漏れをさらに低減させることができるようになる。
【００６６】
［第四実施形態］
次に、図１９〜図２５を参照しながら、本発明の第四実施形態に係る照明装置４０１について説明する。図１９〜図２５の各図の概要は以下の通りである。
図１９は、第四実施形態に係る照明装置４０１を斜め後方から見た斜視図であり、カバー部材４４０を保持部材４２０に取り付けた状態を示す図である。
図２０は、第四実施形態に係る照明装置４０１を背面図であり、カバー部材４４０を保持部材４２０に取り付けた状態を示す図である。
図２１は、第四実施形態に係る照明装置４０１の斜め後方から見た分解斜視図である。
図２２は、第四実施形態に係る照明装置４０１の斜め前方から見た分解斜視図である。
図２３Ａは、図１９のＸＸＩＩＩＡ−ＸＸＩＩＩＡ線に沿った断面図であり、図２３Ｂは図２１のＸＸＩＩＩＢ−ＸＸＩＩＩＢ線に沿ったカバー部材４４０の断面図である。
図２４はカバー部材４４０の成形方法を説明するための図である。
図２５はカバー部材４４０の成形方法を説明するための図である。
【００６７】
第四実施形態に係る照明装置４０１は、第一実施形態に係る照明装置１とは、実装部２１に設けられた露出部１６の位置や、係合爪部２３の位置、カバー部材４０の形状が相違する。
以下では、第四実施形態に係る照明装置４０１に関し、第一実施形態に係る照明装置１からの相違点を主に説明する。
【００６８】
照明装置４０１の保持部材４２０は、第一実施形態の照明装置１と同様に導電性部材１１を保持していて、導電性部材１１の一部が露出した実装部４２１と、接続端子１４を収容する収容部４２２とを備える。実装部４２１の第一面部４２１ａには、発光素子３０等の電子素子が配置されている（図２０Ａ参照）。第一実施形態の実装部２１は、実装部２１の上面部に導電性部材１１の露出部１６があったが、第四実施形態の実装部４２１では、露出部１６は実装部４２１の側面部４２１ｃのみに集約されている（図１８参照）。また、実装部４２１の下方端部に、平板状の延出部４１７が設けられていて、カバー部材４４０が保持部材４２０に取り付けられた際、カバー部材４４０の下面側にある開口部４４５を塞ぐようになっている。露出部１６のそれぞれは、実装部４２１の側面部４２１ｃに形成された凹部１９の中に設けられ、カバー部材４４０に直接に接触することがないように構成されている。
【００６９】
実装部４２１の第二面部４２１ｂ及び側面部４２１ｃとの接合部は、実装部４２１をカバー部材４４０に挿入する方向に沿ってＬ字状に切り欠かれており、その途中において、カバー部材４４０に設けられた係合凹部４５０に係合する係合爪部４２３が設けられている。係合爪部４２３は、係合凹部４５０に挿入しやすいようその上端部には、上端部に向かって高さが低くなるように傾斜した傾斜部４２３ａを有する。
また、実装部４２１の嵌合部４２６は、カバー部材４４０の上面部４４３に形成された嵌合孔部４５１に嵌合するよう形成される。
【００７０】
第四実施形態のカバー部材４４０は、図２１に示すように中空の直方体状に形成されていて、主な構成として、前面部４４１、上面部４４３、側面部４４４を備える。カバー部材４４０の背面には、実装部４２１の第二面部４２１ｂの端部と側面部４４４とを支持する係止部４５４が設けられる。また、側面部４４４の内側には実装部４２１をその挿入時に案内するガイド部４５２が形成されている。係止部４５４及びガイド部４５２は実装部４２１の挿入方向Ｆに沿って形成される。係止部４５４の途中には、実装部４２１に設けられた係合爪部４２３が係合する係合凹部４５０が形成されている。ガイド部４５２は、実装部４２１の第一面部４２１ａの端部を支持する。また、カバー部材４４０の内側において、担持部４４８がレンズ部４４７の上半分を囲うように設けられ、実装部４２１の第一面部４２１ａの上方部分を担持している。
【００７１】
カバー部材４４０の上面部４４３には、実装部４２１の上端に設けられた嵌合孔部４５１が形成されている。
係止部４５４の下方端部に傾斜部４５４ａが形成されている。実装部４２１をカバー部材４４０に挿入する際、係合爪部４２３が傾斜部４５４ａに当接することで側面部４４４が左右方向に撓み、そのまま実装部４２１を推し進めることにより、係合凹部４５０に係合爪部４２３が係合する。また、略同時に嵌合孔部４５１に実装部４２１の嵌合部４２６が嵌合する。実装部４２１の第二面部４２１ｂと係止部４５４、実装部４２１の嵌合部４２６と嵌合する嵌合孔部４５１とは略隙間がなく形成されているため防水性・防塵性が向上する。
【００７２】
次に、図２４及び図２５を用いて第四実施形態のカバー部材４４０を成形する際に用いられる型の構造について説明する。
カバー部材４４０は、インサート成形により作製される。カバー部材４４０のレンズ部４４７の形状を作製する部分はインジェクション型のキャビーコアで成形し、覆い部分（カバー部材４４０の内部でレンズ部４４７を除く部分）はスライド型にて成形する。その際、例えば図２４に示すように、キャビーコア型５０１を矢印Ｉ方向にカバー部材４４０へ挿入し、スライド型５０２を矢印Ｇ方向にカバー部材４４０へ挿入することで、成形することが可能である。
しかしながら、図２４に示すスライド型５０２では、キャビーコア型５０１を挟む部分５０３が薄く細長になってしまうため、強度が低下するおそれがある。
【００７３】
そのため、図２５に示すように、レンズ部４４７を成形するキャビーコア型５１０と、二分割されたスライド型５１１によりカバー部材４４０の内部を成形する。スライド型５１１を上方スライド型５１１ａ、下方スライド型５１１ｂに分割し、上方スライド型５１１ａを矢印Ｍ方向に挿入し、下方スライド型５１１ｂを矢印Ｊ方向に挿入する。キャビーコア型５１０を矢印Ｋ方向にカバー部材４４０へ挿入する。覆い部分を成形するスライド型５１１を、上方スライド型５１１ａ、下方スライド型５１１ｂに分割することで、スライド型５１１の薄くなる部分５１２ａ、５１２ｂ（キャビーコア型５１０を囲う部分）の長さが短くなり、スライド型５１１の強度を維持できるようにしている。なお、上方スライド型５１１ａは、成形する際、カバー部材４４０の嵌合孔部４５１から出し入れされ、下方スライド型５１１ｂは、カバー部材４４０の下面側の開口部４４５から出し入れされる。キャビーコア型５１０は、カバー部材４４０の背面側の開口部４４６から出し入れされる。
【００７４】
以上、上記の実施形態では、図を用いて本発明に係る照明装置に関して説明した。本発明に係る照明装置は、自動車の内装に搭載される照明装置を例として説明したが、これはあくまで一例にすぎず、本発明を限定するものではない。また、照明装置は、電車、バス等の内装、飛行機、船等の内装にも利用することができ、通常の照明装置としても利用することが可能である。
【符号の説明】
【００７５】
１、２０１、３０１、４０１    照明装置
１０    導電性部材ロッド
１１    導電性部材
１３    電極パッド
１４    接続端子
１５    接続部
１６    露出部
１７    延出部
１８    ピン孔
１９    凹部
２０、２２０、３２０、４２０    保持部材
２１、２２１、３２１、４２１    実装部
２２、２２２、３２２、４２２    収容部
２１ａ、２２１ａ、３２１ａ、４２１ａ    第一面部
２１ｂ、２２１ｂ、３２１ｂ、４２１ｂ    第二面部
２１ｃ、２２１ｃ、３２１ｃ、４２１ｃ    側面部
２３、２２３、３２３、４２３      係合爪部
２２４、３２４    基部
２５、２２５、３２５    突出部
２５４    ヒンジ部
２４２ａ    係合爪部
３０    発光素子
３４０Ａ    第一部材
３４０Ｂ    第二部材
３５    抵抗素子
３５３    係合爪部
４０、２４０、３４０、４４０    カバー部材
４１、２４１、３４１、４４１    前面部
４２、２４２、３４２、４４２    背面部
４３、２４３、３４３、４４３    上面部
４４、２４４、３４４Ａ、３４４Ｂ、４４４    側面部
４５、２４５、３４５、４４５、４４６    開口部
４７、３４７、４４７    レンズ部
４２６    嵌合部
４４８    担持部
４５０    係合凹部
４５１    嵌合孔部
４５４    係止部
４５４ａ    傾斜部
５０、２５０、３５０    係合孔部
５１、２５１、３５１Ａ、３５１Ｂ    スリット
５２、４５２    ガイド部
５３    基端部
５０１    キャビーコア型
５０２    スライド型
５０３    挟む部分
５１０    キャビーコア型
５１１    スライド型
５１１ａ    上方スライド型
５１１ｂ    下方スライド型
５１２ａ、５１２ｂ    挟む部分
Ｄ    ドアライニング
Ｄ１    ドアアームレスト
Ｄ２    ロア部
Ｄ３    ドアポケット
Ｈ    照射用孔部
【図１】
2020136068.tif 000003
【図２】
2020136068.tif 000004
【図３】
2020136068.tif 000005
【図４】
2020136068.tif 000006
【図５】
2020136068.tif 000007
【図６】
2020136068.tif 000008
【図７】
2020136068.tif 000009
【図８】
2020136068.tif 000010
【図９】
2020136068.tif 000011
【図１０】
2020136068.tif 000012
【図１１】
2020136068.tif 000013
【図１２Ａ】
2020136068.tif 000014
【図１２Ｂ】
2020136068.tif 000015
【図１２Ｃ】
2020136068.tif 000016
【図１３】
2020136068.tif 000017
【図１４】
2020136068.tif 000018
【図１５】
2020136068.tif 000019
【図１６】
2020136068.tif 000020
【図１７】
2020136068.tif 000021
【図１８】
2020136068.tif 000022
【図１９】
2020136068.tif 000023
【図２０】
2020136068.tif 000024
【図２１】
2020136068.tif 000025
【図２２】
2020136068.tif 000026
【図２３Ａ】
2020136068.tif 000027
【図２３Ｂ】
2020136068.tif 000028
【図２４】
2020136068.tif 000029
【図２５】
2020136068.tif 000030